(57)【要約】      （修正有）【課題】電源コード及びそのプラグ部と特定の固定機構が施された電力供給用コンセントのソケット部の接続を、容易には抜けない固定状態で接続維持を可能にするための電源プラグ固定具を提供する。【解決手段】電源プラグ３側に安全固定具１を差し込み、その後、電源コードおよび電源ソケット２を差し込み、電源ソケット２と安全固定具１の巻きつけバンド５で締めつける。固定を解除する場合は、安全固定具１のレバーを押すことで巻きつけバンド５の固定が解除され、電源ソケット２を電源プラグ３側から離すことが出来る。【選択図】図１
0003192227.tif 000002
【実用新案登録請求の範囲】
【請求項１】
特定の固定機構を施したプラグを使用した機器および電力供給コンセントバーに、特定の固定機構を施していない電源コード及びソケットを差し込む際に、特定の固定機構を施した専用電源コード及びプラグと同等の固定状態を維持することができる安全固定具。
【考案の詳細な説明】
【技術分野】
【０００１】本考案は、電源コード、電源コード用安全具、および電力供給用コンセント、その部品に係り、特に電源コードのソケット部と特定の固定機構が施された電源プラグ及び電力供給用コンセントのプラグ部の接続を、維持可能な状態にするための固定安全具に関する。
【背景技術】
【０００２】従来、固定機構を施した電源プラグ、およびその機構を使用した電力供給用コンセントバー（非特許文献１参照）に対して、電源コードおよびそのソケット部を差し込み、固定する場合、固定機構を施した専用電源コードおよびそのソケット（非特許文献１参照）を使用する必要があったが、その専用電源コードおよびそのソケットを使用せずに、考案した固定安全具を電源プラグおよび電力供給用コンセントバーのプラグ部分に差し込むことで、固定機構を施していない電源コードおよびソケットでも接続の維持が可能な状態にすることが出来る。
【先行技術文献】
【特許文献】
【０００３】なし
【非特許文献】
【０００４】
【非特許文献１】固定機構ソケット付き電源コードおよび固定機構付きプラグを使用した製品（シュナイダーエレクトリック  ＡＰＣラックマウントＰＤＵカタログ９９８０４２８Ｅ  ２０１１．０９版  ４ページ  シュナイダーエレクトリック株式会社）
【考案の概要】
【考案が解決しようとする課題】
【０００５】特定の固定機構を施した電源プラグ及び電源供給用コンセントバーに、特定の固定機構を施していない電源コード及びソケットを差し込んだ際、固定状態を保持することが出来ない。
【課題を解決するための手段】
【０００６】電源プラグ及び電源供給用コンセントバーに加工や変更を加えずに、電源供給用コンセントバーのプラグ内部の穴凹部を利用して、凸形状の爪を配置した固定安全具を追加し、固定安全具の巻きつけバンドを電源ソケットに巻きつけて、巻きつけバンド挿入口に差し込み、締めつける。
【考案の効果】
【０００７】特定の固定機構を施したプラグおよび電源供給コンセントバーに、考案した固定安全具と固定機構を施していない電源コード及びソケットを重ねて差し込み、固定安全具の巻きつけバンドを電源ソケットに巻きつけて締め込むと、固定機構を施した専用電源コード及びソケットと同等の固定状態を維持することができる。
【図面の簡単な説明】
【０００８】
【図１】特定の固定機構を施した電源プラグに、考案した安全固定具と固定機構を施していない電源コードを差し込んだ状態を示した図である。
【図２】安全固定具の各名称を示した平面図である。
【考案を実施するための形態】
なし
【実施例】なし
【産業上の利用可能性】
【０００９】特定の固定機構を施したプラグを使用した機器および電力供給コンセントバーが多数利用される、データセンター内サーバーや、放送設備等のサーバーなどの産業。
【符号の説明】
【００１０】▲１▼安全固定具
▲２▼電源ソケット
▲３▼電源プラグ
▲４▼プラグ内部の穴凹部
▲５▼巻きつけバンド
▲６▼巻きつけバンド挿入口
▲７▼凸形状の爪
▲８▼解除レバー
【図１】
0003192227.tif 000003
【図２】
0003192227.tif 000004
【手続補正書】
【提出日】平成26年2月6日(2014.2.6)
【手続補正１】
【補正対象書類名】実用新案登録請求の範囲
【補正対象項目名】全文
【補正方法】変更
【補正の内容】
【実用新案登録請求の範囲】
【請求項１】
：電源ソケットに差し込んだ際に端面まで合致する形状と大きさの、薄型で横長の長方形プレートには、中央部に小型の凸形状の爪を配置し、そのプレートの上部には電源プラグ固定用の巻きつけバンドが着いた一体型の電源プラグ固定具。
【手続補正２】
【補正対象書類名】明細書
【補正対象項目名】全文
【補正方法】変更
【補正の内容】
【考案の詳細な説明】
【技術分野】
【０００１】    ：本考案は、電源コード、電源プラグ固定具、および電力供給用コンセントとその部品に係り、特に電源コード及びそのプラグ部と特定の固定機構が施された電力供給用コンセントのソケット部の接続を、容易には抜けない固定状態で接続維持を可能にするための固定具に関する。
【背景技術】
【０００２】    ：従来、固定機構を施した電源ソケット、およびその機構を使用した電力供給用コンセントバー（非特許文献１参照）に対して、電源コードおよびそのプラグ部を差し込み、容易に抜けない固定状態にする場合、固定機構を施した専用電源コードおよびそのプラグ（非特許文献１参照）を使用する必要があったが、その専用電源コードおよびそのプラグを使用せずに、考案した固定具を電源ソケットおよび電力供給用コンセントバーのソケット部分に差し込むことで、固定機構を施していない電源コードおよびプラグでも、容易に抜けない状態となり、接続の維持が可能な状態にすることが出来る。【非特許文献】
【０００４】
【非特許文献１】固定機構プラグ付き電源コードおよび固定機構付きソケットを使用した製品（シュナイダーエレクトリック  ＡＰＣラックマウントＰＤＵカタログ  ９９８０４２８Ｅ  ２０１１．０９版  ４ページ  シュナイダーエレクトリック株式会社）
【考案の概要】
【考案が解決しようとする課題】
【０００５】    ：特定の固定機構を施した電源ソケット及び電源供給用コンセントバーに、特定の固定機構を施していない電源コード及びプラグを差し込んだ際、ケーブルの自重や抜くことを意図しない作業でケーブルやプラグに触れて、不意に抜けてしまう、もしくは意図しない外部からの圧力、衝撃、振動などで誤脱してしまう。
【課題を解決するための手段】
【０００６】    ：電源ソケット及び電源供給用コンセントバーに加工や変更を加えずに、電源供給用コンセントバーのソケット内部の穴凹部を利用して、凸形状の爪を配置した固定具を追加し、固定具の巻きつけバンドを電源プラグに巻きつけて、巻きつけバンド挿入口に差し込み、締めつける。
【考案の効果】
【０００７】    ：特定の固定機構を施したソケットおよび電源供給コンセントバーに、考案した固定具と固定機構を施していない電源コード及びプラグを重ねて差し込み、固定具の巻きつけバンドを電源プラグに巻きつけて締め込むと、固定機構を施した専用電源コード及びプラグと同等の、不意に誤脱しない固定状態を維持することができる。
【図面の簡単な説明】
【０００８】
【図１】特定の固定機構を施した電源ソケットに、考案した固定具と固定機構を施していない電源コード及びそのプラグを差し込んだ状態を示した図である。
【図２】固定具の各名称を示した平面図である。
【産業上の利用可能性】
【０００９】    特定の固定機構を施したソケットを使用した機器および電力供給コンセントバーが多数利用される、データセンターやネットワークシステム、放送設備、軍事施設、医療施設などの電源供給システムを必要とする産業。
【符号の説明】
【００１０】    ▲１▼固定具    ▲２▼電源プラグ    ▲３▼電源ソケット    ▲４▼ソケット内部の穴凹部    ▲５▼巻きつけバンド    ▲６▼巻きつけバンド挿入口    ▲７▼凸形状の爪    ▲８▼解除レバー